(57)【要約】【課題】衣服の肩部に取り付けられる肩パッドの周縁に形成される接合部を衣服の表面に浮き出ないように形成して、肩部の美観を向上させるとともに、衣服と肩パッドの接合部とを擦れにくくして、耐久性を向上させた肩パッド付き衣服を提供すること。【解決手段】肩パッド付き衣服１００に取り付けられる肩パッド２００におけるクルミ布地２２０ａ、２２０ｂの周縁部同士を接着または溶着して接合部２２２を形成し、かつこの接合部２２２の輪郭形状を波形に成型する。【選択図】　図１
2004124350.tif 000002
【特許請求の範囲】
【請求項１】
両肩部に肩パッドが取り付けられた肩パッド付き衣服であって、
前記肩パッドは、パッド本体と、該パッド本体の上表面及び下表面にそれぞれ配置されるクルミ布地とからなって、
前記クルミ布地の周縁部同士を接着若しくは溶着により接合してなる接合部が形成されるとともに、該接合部の輪郭形状が波形に成型されてなることを特徴とする肩パッド付き衣服。
【請求項２】
肩パッドは、衣服の肩の縫い目と対応する両端部に、略Ｖ字形若しくは略Ｕ字形に形成される切欠部が形成されていることを特徴とする請求項１に記載の肩パッド付き衣服。
【請求項３】
クルミ布地は、熱溶融性繊維を有してなることを特徴とする請求項１又は２に記載の肩パッド付き衣服。
【請求項４】
クルミ布地は、パッド本体との接触面側に接着剤が付着されていることを特徴とする請求項１から３のいずれかに記載の肩パッド付き衣服。
【請求項５】
接着剤は、熱融着性接着剤であることを特徴とする請求項４に記載の肩パッド付き衣服。
【発明の詳細な説明】
【０００１】
【発明の属する技術分野】
本発明は、洋服に使用される肩パッドに関するものである。
【０００２】
【従来の技術】
一般に、ブラウスや夏用ジャケット等の薄手の表生地からなる衣服には、肩のラインを美しく見せるために肩パッドが取り付けられている。この肩パッドは、衣服の表生地から透けて見えにくくするために、パッド本体を、衣服の表生地とほぼ同色の薄布からなるクルミ布地で被覆したものが通常使用されている。図６には、従来の肩パッド付き衣服１００の肩部を拡大した図が示されており、図７には、図６に示す従来の肩パッド付き衣服に取り付けられる肩パッド２００を示している。図７に示すように、肩パッド２００は、全体の形状を決定するパッド本体２１０と、パッド本体２１０の上表面と下表面とにそれぞれ取り付けられるクルミ布地２２０ａ、２２０ｂとを有して形成されている。そして、クルミ布地２２０ａ及び２２０ｂの周縁部２２１ａ、２２１ｂは、通常、ロックミシン処理によって接合されて接合部２２２を形成している（特許文献１参照）。ロックミシン処理とは、ロックミシンで縫合糸を縫い込んで、いわゆるふちががりをするものである。
【０００３】
ところが、こうしたロックミシン処理がなされた肩パッドでは、接合部に厚みが生じるため、これを衣服に取り付けると、図６に示すように、肩パッドの接合部の厚みが衣服と当たって表面に浮き出たり、衣服の肩部に皺がよるなどして、衣服の美観を損ねてしまっていた。また、着用や洗濯を重ねるにつれて、衣服と肩パッドとが擦れ合って、衣服の肩部に破れが生じたり、肩パッドの接合部の縫合糸に解れが生じたりして、耐久性にも難があった。
【０００４】
【特許文献１】
特開２００１−１７２８１２公報（第１図、第２図及び第５図）
【０００５】
【発明が解決しようとする課題】
そこで、本発明は、上記事情を鑑みてなされたものであり、衣服に取り付ける肩パッドの接合部を衣服の表面に浮き出ないように形成して、肩部の美観を向上させるとともに、衣服と肩パッドの接合部とを擦れにくくして、耐久性を向上させた肩パッド付き衣服を提供することを課題とするものである。
【０００６】
【課題を解決するための手段】
上記課題を解決するために、請求項１に記載の発明が採った手段は、両肩部に肩パッド２００が取り付けられた肩パッド付き衣服１００であって、肩パッド２００は、パッド本体２１０と、パッド本体２１０の上表面及び下表面にそれぞれ配置されるクルミ布地２２０ａ、２２０ｂとからなり、クルミ布地２２０ａ、２２０ｂは、その周縁部２２１ａ、２２１ｂ同士を接着若しくは溶着により接合してなる接合部２２２が形成されるとともに、接合部２２２の輪郭形状が波形に成型されてなることを特徴とする肩パッド付き衣服１００である。
【０００７】
この肩パッド付き衣服１００は、両肩部に取り付けられる肩パッド２００におけるクルミ布地２２０ａ、２２０ｂの周縁部２２１ａ、２２１ｂが接合されてなる接合部２２２を、接着または溶着によって形成することにより、接合部２２２の厚みを薄く形成するとともに、接合部２２２の輪郭形状を波形に成型して、接合部２２２と衣服との当たりを少なくしたものである。これによって、衣服の肩部の表面に肩パッド２００の接合部２２２が浮き出たり、皺が寄ったりすることがなくなって美観を向上させることができ、また、衣服と肩パッド２００の接合部２２２とが擦れにくくなって破れが生じにくくなる。
【０００８】
請求項２に記載した発明が採った手段は、肩パッド２００は、衣服の肩の縫い目と対応する両端部に、略Ｖ字形若しくは略Ｕ字形に形成される切欠部２２３が形成されていることを特徴とする請求項１に記載の肩パッド付き衣服１００である。
【０００９】
この肩パッド付き衣服１００は、衣服の肩の縫い目と対応する両端部に切欠部２２３を形成して、肩パッド２００の接合部２２２が衣服の肩線部分に当たらないようにしたものである。これにより、衣服の肩のラインをより美しく見せることができる。また、衣服の作製時においては、切欠部２２３を衣服に取り付ける位置の目安とすることもできるので、肩パッド２００の取り付け作業が迅速に行えるようになる。
【００１０】
請求項３に記載した発明が採った手段は、クルミ布地２２０は、熱溶融性繊維を有してなることを特徴とする請求項１又は２に記載の肩パッド付き衣服１００である。
【００１１】
クルミ布地２２０が、熱溶融性繊維を有することにより、接合部２２２を超音波の伝達による溶着により形成できるようになる。
【００１２】
請求項４に記載の発明が採った手段は、クルミ布地２２０ａ、２２０ｂは、パッド本体２１０との接触面側に接着剤２２４が付着されていることを特徴とする請求項１から３のいずれかに記載の肩パッド付き衣服１００である。
肩パッド２００を構成するクルミ布地２２０ａ、２２０ｂのパッド本体２１０との接触面側に接着剤２２４が付着されることで、接合部２２２の形成及びパッド本体２１０とクルミ布地２２０ａ、２２０ｂとの接着が容易に行えるようになる。
【００１３】
請求項５に記載の発明が採った手段は、接着剤２２４は、熱融着性接着剤であることを特徴とする請求項１から４のいずれかに記載の肩パッド付き衣服１００である。
【００１４】
接着剤２２４を熱融着性とすることで、接合部２２２の形成及びクルミ布地２２０ａ、２２０ｂとパッド本体２１０との接着を加熱プレスするだけで簡単に行えるようになる。
【００１５】
【発明の実施の形態】
本発明に係る肩パッド付き衣服は、パッド本体の上表面と下表面とにそれぞれ取り付けられてパッド本体を被覆するクルミ布地の周縁部同士を接合してなる接合部の輪郭形状を波形に形成した肩パッドを備えることを特徴とするものである。
【００１６】
本発明に係る肩パッド付き衣服は、ブラウスやサマーセーターといった薄手の布地からなるものである。そして、これに取り付けられる肩パッドは、パッド本体の上表面及び下表面にそれぞれクルミ布地が取り付けられてなり、クルミ布地の周縁部同士を接合して接合部が形成されている。さらに、接合部は、その輪郭形状が波形に形成されている。
【００１７】
パッド本体は、従来より使用されているものを用いることができ、例えば、不織布等からなってパッド本体の上表面と下表面とを形成する上材と下材との間に、発泡体や成形不織布等を立体的に成形した中材を介在させてなるものが挙げられる。また、その形状にはフラットタイプ、ラグランタイプ、ワッフルタイプ等があるが、特に限定されるものではない。
【００１８】
クルミ布地は、パッド本体に縫合又は接着されることによって取り付けられる。形状及び大きさは、特に限定されるものではないが、パッド本体の面積よりも大きい面積とし、パッド本体の形状と相似形とすることが好ましい。
【００１９】
そして、パッド本体の上表面と下表面とにそれぞれ取り付けられたクルミ布地は、その周縁部同士を接合して接合部が形成される。この接合部は、接着剤によって接着して形成することができる。
従って、クルミ布地には、パッド本体との接触面側に接着剤が付着されたものを用いることが好ましい。付着される接着剤には、感圧接着剤やポリエチレン、ポリアミド、ポリエステル、ポリ塩化ビニル等の低融点樹脂からなる熱融着性接着剤等が挙げられ、特に、取り扱い性を考慮して熱融着性接着剤が付着されたものを用いることが好ましい。クルミ布地に熱融着性接着剤が付着していれば、クルミ布地をパッド本体の上表面と下表面に配置した後に加熱プレス処理するだけで、接合部を形成することができ、また、パッド本体に接着して取り付けることも容易に行うことができる。
【００２０】
また、接合部は、超音波の伝達による溶着によって行うこともできる。溶着によって接合部を形成する場合には、クルミ布地として、熱溶融性繊維を有するものを用いることが好ましい。熱溶融性繊維を有することによって、超音波を伝達したときに熱溶融性繊維が溶融して溶着を強固にできるようになるからである。熱溶融性繊維としては、例えば、ポリエチレン、ポリプロピレン、ナイロン、ポリエステル等の合成繊維からなるもの、又は、前記合成繊維とコットン、麻、レーヨン等のセルロース系の天然繊維や、トウモロコシ等の澱粉などと合成されてできる生分解性繊維等とを混紡してなるものが挙げられる。そして、このような繊維素材からなる織物、編物又は不織布を用いることができ、特に、解れの生じにくい薄手の不織布を用いることが好ましい。
【００２１】
また、超音波の伝達による溶着は、従来より布やシート材の溶融、溶着加工に用いられている超音波加工装置を用いて行うことができる。そして、当該装置による溶着よって接合部を形成するには、予め所定の形状に裁断したクルミ布地を、パッド本体の上表面と下表面とに縫合若しくは接着しておいてから、クルミ布地の周縁に沿ってホーンを当接して溶着するか、あるいは、クルミ布地をパッド本体の面積より大きい面積で適当な形状に裁断しておき、これをパッド本体の上表面と下表面とに縫合若しくは接着した後、所定の輪郭となるように余剰部分を溶断しながらクルミ布地の周縁部同士を溶着して作製することができる。
【００２２】
上記のように形成される接合部は、その輪郭形状が波形に形成されてなる。この波形の形状は、特に限定されるものではなく、例えば、半円形を連続させた形状や、三角形を連続させた形状等に形成することが考えられる。
この接合部の波形輪郭形状は、接合部を形成した後で、接合部の周縁を裁断して形成することができる。また、超音波加工装置による溶着により接合部を形成する場合には、超音波加工装置の金型を波形形状に形成しておくと、溶着と同時に波形形状に溶断されるので作製が容易となる。
【００２３】
また、肩パッドの肩幅方向の両端部には、略Ｖ字形若しくは略Ｕ字型の切欠部を形成してもよい。切欠部を形成することで、接合部と衣服との当たりをより少なくできるようになるとともに、衣服への取り付けの際に、切欠部を衣服の肩の縫い目に合わせることで位置決めが容易かつ正確に行えるようになるので、左右の肩パッドを対称位置に取り付けることができるようになる。切欠部は、クルミ布地をパッド本体に取り付ける前に予め形成しておくか、あるいは、超音波加工装置による溶着により接合部を形成する場合には、その溶着を行う際に、溶断して形成することもできる。
【００２４】
上記のように形成される肩パッドの衣服への取り付けは、従来の肩パッド付き衣服と同様にして、衣服に縫合して取り付けることができる。
【００２５】
以下、本発明の実施例を図に基づいて説明する。
（実施例１）
図１には、本実施例に係る肩パッド付き衣服１００が示されており、図２には本実施例に係る肩パッド付き衣服１００に取り付けられる肩パッド２００を一部切断した状態が示されている。また、図３には、肩パッド２００を分解した図が示されている。
【００２６】
本実施例に係る肩パッド付き衣服１００は、図１に示すように、薄手の布地より作製された女性用のブラウスであり、その両肩部には、肩パッド２００が取り付けられる。
この肩パッド２００は、図２に示すように、パッド本体２１０と、クルミ布地２２０とを有する。パッド本体２１０は、略半円形に形成されるとともに、肩の形状に対応するよう立体的な曲面を有して形成されている。パッド本体２１０は、上表面２１０ａを形成する上材２１１と、下表面２１０ｂを形成する下材２１２と、上材２１１と下材２１２との間に介在されてなる中材２１３とからなり、これらを重合して形成されたものである。
【００２７】
クルミ布地２２０は、パッド本体２１０の上表面２１０ａと下表面２１０ｂとの両面にそれぞれ取り付けられて、パッド本体２１０を被覆するものである。クルミ布地２２０はパッド本体２１０の上表面２１０ａに取り付けられるクルミ布地２２０ａと、下表面２１０ｂに取り付けられるクルミ布地２２０ｂとからなる。また、クルミ布地２２０は、合成繊維からなる不織布より形成されており、パッド本体２１０の面積よりも大きくかつパッド本体２１０と相似形に形成されている。さらに、パッド本体２１０と接触する面には、図３に示すように、ドット状の熱融着性樹脂２２４が付着しており、加熱プレス処理によってパッド本体２１０に接着して取り付けられる。
【００２８】
パッド本体２１０に接着されたクルミ布地２２０ａ、２２０ｂは、それぞれの周縁部２２１ａ、２２１ｂとが接合されて接合部２２２を形成する。接合部２２２は、周縁部２２１ａ、２２１ｂを超音波の伝達による溶着によって一体化することによって形成されるとともに、クルミ布地２２０の超音波が伝達されない表面部Ｓと同様の質感で形成される。
【００２９】
肩パッド２００は、以下のような方法で作製される。まず、図３に示すように、クルミ布地２２０ａ、２２０ｂを、予めパッド本体２１０の面積よりも大きい面積で、パッド本体２１０と相似形に裁断しておく。そして、クルミ布地２２０ａ、２２０ｂの周縁部２２１ａ、２２１ｂを揃えながら、熱融着性樹脂２２４が付着している面がパッド本体２１０と接触するようにパッド本体２１０の上表面２１０ａと下表面２１０ｂとに配置し、加熱プレス処理を行う。加熱プレス処理によって、熱融着性樹脂２２３が溶融し、クルミ布地２２０ａ、２２０ｂがパッド本体２１０に接着される。
【００３０】
次いで、パッド本体２１０に接着したクルミ布地２２０ａ、２２０ｂの周縁部２２１ａ、２２１ｂに沿って超音波を伝達し、周縁部２２１ａと周縁部２２１ｂとを溶着した後、輪郭形状が三角形が連続してなる波形となるように裁断して接合部２２２が形成される。
【００３１】
また、上記方法のようにクルミ布地２２０を予めパッド本体２１０と相似形に裁断するのではなく、図４に示すように、まずはクルミ布地２２０ａ、２２０ｂをパッド本体２１０の面積より大きい面積で適当な形状に裁断しておき、これをパッド本体２１０の上表面２１０ａと下表面２１０ｂとに接着して、図４の斜線部分のように、超音波を伝達して溶着して接合部２２２を形成するとともに、余剰部分を接合部２２２の輪郭が波形となるように溶断することにより作製してもよい。
【００３２】
こうして形成される肩パッド２００は、クルミ布地２２０の周縁部２２１ａ、２２１ｂを溶着して接合することによって、従来のロックミシン処理のように縫い糸を一切使用せずに接合部２２２を形成することができる。これによって、接合部２２２の厚みを薄く形成することができるのである。そして、この肩パッド２００は、衣服の肩部に縫合して取り付けられる。
【００３３】
本実施例に係る肩パッド付き衣服１００は、衣服の肩部から肩パッド２００の接合部２２２が浮き出ることがなく、滑らかな肩のラインを提供することができる。また、肩パッドの接合部に糸解れが生じたり、衣服と肩パッドの接合部とが擦れ合って衣服に破れが生じない肩パッド付き衣服２００とすることができる。
【００３４】
（実施例２）
本実施例に係る肩パッド付き衣服は、実施例１に示した肩パッド付き衣服１００に改良を加えたものであり、その基本構成は実施例１と同様である。従って、ここでは、実施例１との相違点について詳細に説明する。
図５には、本実施例に係る肩パッド付き衣服を構成する肩パッド２００が示されている。本実施例に係る肩パッド付き衣服は、肩パッド２００の衣服の肩の縫い目に対応する両端部に切欠部２２３が形成されている点で実施例１と相違する。このように、切欠部２２３を設けることにより、肩パッド２００の接合部２２２と衣服の肩の縫い目との当たりをより少なくすることができるので、接合部２２２が衣服の表生地に当たって浮き出ることをより一層防止できるようになる。さらに、肩パッド２００を衣服に取り付ける際に、切欠部２２３が衣服の肩部に取り付け位置の目安となるので、肩パッド付き衣服の作製が容易となる肩パッドを衣服に取り付ける作業を正確かつ簡単に行えるようになる。
【００３５】
【発明の効果】
請求項１に記載の肩パッド付き衣服によれば、両肩部に取り付けられるパッド本体の上表面と下表面とに取り付けられるクルミ布地の周縁部同士を接着若しくは溶着して接合部を形成するとともに、接合部の輪郭を波形に形成したので、従来のロックミシン処理と比較して接合部を薄く形成できるので、肩パッドの接合部と衣服の肩部との当たりが少なくなって、接合部が衣服の表面に浮き出ることがなくなり、滑らかな肩のラインを提供することができる。また、衣服と接合部とが擦れて破れが生じることがない。さらに、縫合糸を用いずに接合部を形成するため、糸解れが生じることがない。
【００３６】
請求項２に記載の肩パッド付き衣服によれば、請求項１に記載の肩パッド付き衣服の効果に加えて、肩幅方向の両端部に略Ｖ字形若しくは略Ｕ字形の切欠部を形成したことにより、肩パッドを衣服に取り付けたときに、肩パッドの接合部と衣服との当たりがより少なくなって、接合部が衣服の表生地に当たって浮き出ることをより一層防止することができるようになる。さらに、肩パッドを衣服に取り付ける際に、切欠部が衣服の肩部に取り付け位置の目安となるので、肩パッド付き衣服の作製が容易となる。
【００３７】
請求項３に記載の肩パッド付き衣服によれば、請求項１または２のいずれかに記載の肩パッド付き衣服の効果に加えて、クルミ布地が熱溶融性の繊維を有してなるので、超音波の伝達によって熱溶融性繊維が溶融して、溶着を強固にすることができる。
【００３８】
請求項４に記載の肩パッド付き衣服によれば、請求項１から３のいずれに記載の肩パッド付き衣服の効果に加えて、パッド本体との接触面側に接着剤が付着されているので、接合部の形成及びクルミ布地のパッド本体への取り付けが容易に行えるようになる。
【００３９】
請求項５に記載の肩パッド付き衣服によれば、請求項４に記載の肩パッド付き衣服の効果に加えて、接着剤を熱融着性としているので、加熱プレス処理を行うだけで接合部が簡単に形成できるとともに、クルミ布地のパッド本体への取り付けも簡単に行えるようになる。
【００４０】
【図面の簡単な説明】
【図１】実施例１に係る肩パッド付き衣服の肩部を切り欠いた状態を示す正面図である。
【図２】実施例１に係る肩パッド付き衣服を構成する肩パッドの一部を切断して示す斜視図である。
【図３】実施例１に係る肩パッド付き衣服を構成する肩パッドの分解図斜視図である。
【図４】実施例１に係る肩パッドの作製方法を説明する図である。
【図５】実施例に係る肩パッド付き衣服を構成する肩パッドの斜視図である。
【図６】従来の肩パッド付き衣服の肩部を拡大した正面図である。
【図７】従来の肩パッドの斜視図である。
【符号の説明】
１００　肩パッド付き衣服
２００　肩パッド
２１０　パッド本体
２１０ａ　上表面
２１０ｂ　下表面
２２０　　クルミ布地
２２１　　周縁部
２２２　　接合部
２２３　　切欠部
２２４　　接着剤（熱融着性樹脂）
【図１】
2004124350.tif 000003
【図２】
2004124350.tif 000004
【図３】
2004124350.tif 000005
【図４】
2004124350.tif 000006
【図５】
2004124350.tif 000007
【図６】
2004124350.tif 000008
【図７】
2004124350.tif 000009